(57)【要約】【課題】診察において使用するシェーマ画像の検索作業を支援すること。【解決手段】表示制御装置１００は、患者情報１０３から患者の病名とオーダ内容とを取得する。次に、表示制御装置１００は、画像ＤＢ１０２の中から、患者の病名とオーダ内容との両方に対応する共通のシェーマ画像群を特定する。そして、表示制御装置１００は、共通のシェーマ画像群の表示順序を、選択回数の多い順に表示する表示順序に決定する。次に、表示制御装置１００は、患者の病名に対応するシェーマ画像群１０４と、患者のオーダ内容に対応するシェーマ画像群１０５と、から、共通のシェーマ画像群を除いたシェーマ画像群の表示順序を、選択回数の多い順に表示する表示順序に決定する。【選択図】図１
2014219769.tif 000002
【特許請求の範囲】
【請求項１】
コンピュータに、
患者情報から患者の病名と前記患者に対する処置内容とを取得し、
病名と、前記病名の患者の診察において選択されて用いられる画像と、を対応付けて記憶する第１の記憶部を参照して、取得した前記病名に対応する第１の画像群を特定し、
処置内容と、前記処置内容の患者の診察において選択されて用いられる画像と、を対応付けて記憶する第２の記憶部を参照して、取得した前記処置内容に対応する第２の画像群を特定し、
特定した前記第１の画像群と、特定した前記第２の画像群と、の両方に含まれる共通の画像群に含まれる画像の表示順序を、患者の診察において選択された選択回数が多い順に表示する表示順序に決定する、
処理を実行させることを特徴とする表示制御プログラム。
【請求項２】
前記決定する処理は、
さらに、前記第１の画像群と、前記第２の画像群と、から前記共通の画像群を除いた画像群に含まれる画像の表示順序を、決定した表示順序より後ろの表示順序であって、患者の診察において選択された選択回数が多い順に表示する表示順序に決定することを特徴とする請求項１に記載の表示制御プログラム。
【請求項３】
前記コンピュータに、
前記患者情報から患者が受診する診療科を取得し、
診療科と、前記診療科を受診する患者の診察において選択されて用いられる画像と、を対応付けて記憶する第３の記憶部を参照して、取得した前記診療科に対応する第３の画像群を特定する処理を実行させ、
前記決定する処理は、
前記第１の画像群と、前記第２の画像群と、前記第３の画像群と、に含まれる共通の画像群に含まれる画像の表示順序を、患者の診察において選択された選択回数が多い順に表示する表示順序に決定することを特徴とする請求項１に記載の表示制御プログラム。
【請求項４】
前記決定する処理は、
さらに、前記第１の画像群と、前記第２の画像群と、の両方に含まれる共通の画像群から、前記第３の画像群に含まれる画像群を除いた画像群に含まれる画像の表示順序を、決定した表示順序より後ろの表示順序であって、患者の診察において選択された選択回数が多い順に表示する表示順序に決定することを特徴とする請求項３に記載の表示制御プログラム。
【請求項５】
前記コンピュータに、
利用者情報から患者を診察する診察医の識別情報を取得し、
診察医の識別情報と、前記診察医が診察する患者の診察において選択されて用いられる画像と、を対応付けて記憶する第４の記憶部を参照して、取得した前記識別情報に対応する第４の画像群を特定する処理を実行させ、
前記決定する処理は、
前記第１の画像群と、前記第２の画像群と、前記第４の画像群と、に含まれる共通の画像群に含まれる画像の表示順序を、患者の診察において選択された選択回数が多い順に表示する表示順序に決定することを特徴とする請求項１に記載の表示制御プログラム。
【請求項６】
前記決定する処理は、
さらに、前記第１の画像群と、前記第２の画像群と、の両方に含まれる共通の画像群から、前記第４の画像群に含まれる画像群を除いた画像群に含まれる画像の表示順序を、決定した表示順序より後ろの表示順序であって、患者の診察において選択された選択回数が多い順に表示する表示順序に決定することを特徴とする請求項５に記載の表示制御プログラム。
【請求項７】
患者情報から患者の病名と前記患者に対する処置内容とを取得する取得部と、
病名と、前記病名の患者の診察において選択されて用いられる画像と、を対応付けて記憶する第１の記憶部を参照して、前記取得部によって取得された前記病名に対応する第１の画像群を特定する第１の特定部と、
処置内容と、前記処置内容の患者の診察において選択されて用いられる画像と、を対応付けて記憶する第２の記憶部を参照して、前記取得部によって取得された前記処置内容に対応する第２の画像群を特定する第２の特定部と、
前記第１の特定部によって特定された前記第１の画像群と、前記第２の特定部によって特定された前記第２の画像群と、の両方に含まれる共通の画像群に含まれる画像の表示順序を、患者の診察において選択された選択回数が多い順に表示する表示順序に決定する決定部と、
を有することを特徴とする表示制御装置。
【請求項８】
コンピュータが、
患者情報から患者の病名と前記患者に対する処置内容とを取得し、
病名と、前記病名の患者の診察において選択されて用いられる画像と、を対応付けて記憶する第１の記憶部を参照して、取得した前記病名に対応する第１の画像群を特定し、
処置内容と、前記処置内容の患者の診察において選択されて用いられる画像と、を対応付けて記憶する第２の記憶部を参照して、取得した前記処置内容に対応する第２の画像群を特定し、
特定した前記第１の画像群と、特定した前記第２の画像群と、の両方に含まれる共通の画像群に含まれる画像の表示順序を、患者の診察において選択された選択回数が多い順に表示する表示順序に決定する、
処理を実行することを特徴とする表示制御方法。
【発明の詳細な説明】
【技術分野】
【０００１】
本発明は、表示制御プログラム、表示制御装置、および表示制御方法に関する。
【背景技術】
【０００２】
従来、医療分野において、電子カルテには、患者の診察結果の一つとして、シェーマ画像が記録されることがある。シェーマ画像は、人体部位の写真や模式図などであって、患者の病変部位や状態などが書き込まれる画像である。
【０００３】
関連する技術としては、例えば、主訴に基づいて入力された部位名称に対応するシェーマ画像を、身体各部位の名称とシェーマ画像とを対応付ける管理ファイルを介して、各種のシェーマ画像が登録されたシェーマ画像ファイルから読み出して表示するものがある。
【先行技術文献】
【特許文献】
【０００４】
【特許文献１】特開平１１−３１２２０２号公報
【発明の概要】
【発明が解決しようとする課題】
【０００５】
しかしながら、上述した従来技術では、患者の診察において使用するシェーマ画像の候補の数が多くなると、診察医などが患者の診察において使用するシェーマ画像を検索するのに手間や時間がかかってしまう場合がある。
【０００６】
１つの側面では、本発明は、診察において使用するシェーマ画像の検索作業を支援することを目的とする。
【課題を解決するための手段】
【０００７】
本発明の一側面によれば、患者情報から患者の病名と前記患者に対する処置内容とを取得し、病名と、前記病名の患者の診察において選択されて用いられる画像と、を対応付けて記憶する第１の記憶部を参照して、取得した前記病名に対応する第１の画像群を特定し、処置内容と、前記処置内容の患者の診察において選択されて用いられる画像と、を対応付けて記憶する第２の記憶部を参照して、取得した前記処置内容に対応する第２の画像群を特定し、特定した前記第１の画像群と、特定した前記第２の画像群と、の両方に含まれる共通の画像群に含まれる画像の表示順序を、患者の診察において選択された選択回数が多い順に表示する表示順序に決定する表示制御プログラム、表示制御装置、および表示制御方法が提案される。
【発明の効果】
【０００８】
本発明の一態様によれば、診察において使用するシェーマ画像の検索作業を支援することができるという効果を奏する。
【図面の簡単な説明】
【０００９】
【図１】図１は、実施の形態にかかる表示制御装置１００のシェーマ画像の表示処理の一例を示す説明図である。
【図２】図２は、実施の形態にかかる表示制御装置１００のハードウェア構成例を示すブロック図である。
【図３】図３は、オーダ・シェーマ画像対応情報テーブル３００の記憶内容の一例を示す説明図である。
【図４】図４は、病名・シェーマ画像対応情報テーブル４００の記憶内容の一例を示す説明図である。
【図５】図５は、診療科・シェーマ画像対応情報テーブル５００の記憶内容の一例を示す説明図である。
【図６】図６は、利用者・シェーマ画像対応情報テーブル６００の記憶内容の一例を示す説明図である。
【図７】図７は、表示制御装置１００の機能的構成例を示すブロック図である。
【図８】図８は、第１の動作の一例を示す説明図（その１）である。
【図９】図９は、第１の動作の一例を示す説明図（その２）である。
【図１０】図１０は、第２の動作の一例を示す説明図である。
【図１１】図１１は、第１の動作の別の例を示す説明図（その１）である。
【図１２】図１２は、第１の動作の別の例を示す説明図（その２）である。
【図１３】図１３は、第１の動作の別の例を示す説明図（その３）である。
【図１４】図１４は、表示制御装置１００の表示制御処理手順の一例を示すフローチャートである。
【図１５】図１５は、第１のシェーマ画像検索処理手順の一例を示すフローチャートである。
【図１６】図１６は、第２のシェーマ画像検索処理手順の一例を示すフローチャートである。
【図１７】図１７は、テーブル更新処理手順の一例を示すフローチャートである。
【発明を実施するための形態】
【００１０】
以下に添付図面を参照して、本発明にかかる表示制御プログラム、表示制御装置、および表示制御方法の実施の形態を詳細に説明する。
【００１１】
（表示制御装置１００のシェーマ画像の表示処理）
図１は、実施の形態にかかる表示制御装置１００のシェーマ画像の表示処理の一例を示す説明図である。
【００１２】
図１において、表示制御装置１００は、患者情報画像対応情報テーブル１０１と、画像ＤＢ１０２（ＤａｔａＢａｓｅ）と、を有するコンピュータである。
【００１３】
患者情報画像対応情報テーブル１０１には、例えば、患者情報１０３に対応付けて画像ファイル名と、画像が選択された選択回数と、が対応付けて記憶される。患者情報１０３とは、例えば、患者の病名と、患者に対する処置内容と、患者が受診する診療科と、などを含む情報である。処置内容とは、例えば、腹腔穿刺、骨髄穿刺、または点鼻処置などの医療行為の内容と、既往歴（手術歴、輸血歴）に含まれる手術内容や輸血内容と、検査内容と、検査結果となどである。患者情報画像対応情報テーブル１０１は、例えば、図３に後述するオーダ・シェーマ画像対応情報テーブル３００と図４に後述する病名・シェーマ画像対応情報テーブル４００と図５に後述する診療科・シェーマ画像対応情報テーブル５００とによって実現される。画像ＤＢ１０２には、例えば、身体部位の模式図や写真などになるシェーマ画像が記憶される。
【００１４】
図１において、表示制御装置１００は、患者の病名と患者に対するオーダ内容とを含む患者情報１０３を受け付ける。次に、表示制御装置１００は、患者情報１０３から患者の病名を取得して、画像ＤＢ１０２の中から、患者の病名に対応するシェーマ画像群１０４を特定する。また、表示制御装置１００は、患者情報１０３から患者に対するオーダ内容を取得して、患者に対するオーダ内容に対応するシェーマ画像群１０５を特定する。
【００１５】
次に、表示制御装置１００は、患者の病名に対応するシェーマ画像群１０４と、患者に対するオーダ内容に対応するシェーマ画像群１０５と、の両方に含まれる共通のシェーマ画像群の表示順序を、選択回数の多い順に表示する表示順序に決定する。また、表示制御装置１００は、患者の病名に対応するシェーマ画像群１０４と、患者に対するオーダ内容に対応するシェーマ画像群１０５と、から、共通のシェーマ画像群を除いたシェーマ画像群の表示順序を、選択回数の多い順に表示する表示順序に決定する。ここで、共通のシェーマ画像群を除いたシェーマ画像群の表示順序は、共通のシェーマ画像群の表示順序よりも後ろである。
【００１６】
次に、表示制御装置１００は、決定した表示順序に従って、ディスプレイ１０６に、共通のシェーマ画像群を表示した後、共通のシェーマ画像群の後ろに共通のシェーマ画像群を除いたシェーマ画像群を表示する。これにより、表示制御装置１００は、患者の病名とオーダ内容との両方に対応するシェーマ画像群を、選択回数の多い順に優先して表示することができる。
【００１７】
このため、表示制御装置１００の利用者は、診察する患者の病名とオーダ内容に対応しつつ選択回数が多いシェーマ画像から優先して、診察する患者の診察記録として選択して使用するシェーマ画像にするか否かを検討することができる。結果として、表示制御装置１００の利用者は、シェーマ画像の選択にかかる時間を短縮することができる。さらに、表示制御装置１００の利用者は、患者の診察においてシェーマ画像の選択にかかる時間を短縮して、患者の診察にかかる時間を短縮することができ、医療サービスの質の向上を図ることができる。
【００１８】
また、これにより、表示制御装置１００は、表示制御装置１００の利用者になる診察医などが普段使用していないシェーマ画像であっても、診察する患者の病名とオーダ内容に対応しつつ選択回数が多いシェーマ画像であれば表示することができる。このため、表示制御装置１００の利用者は、普段使用していないシェーマ画像であっても診察する患者の診察記録として選択して使用するシェーマ画像にするか否かを検討することができる。
【００１９】
ここでは、表示制御装置１００は、患者情報１０３に含まれる患者の病名とオーダ内容とに対応する共通のシェーマ画像群を特定したが、これに限らない。以下の説明では、患者情報１０３に含まれる病名とオーダ内容とを用いて共通のシェーマ画像群を特定する動作を「第１の動作」と表記する場合がある。
【００２０】
例えば、表示制御装置１００は、さらに、患者情報１０３に含まれる患者の病名とオーダ内容に加えて患者情報１０３に含まれる他の情報を用いて共通のシェーマ画像群を特定してもよい。ここで、他の情報とは、例えば、患者が受診する診療科、患者の既往歴、または患者の検査内容などである。具体的には、表示制御装置１００は、患者の病名とオーダ内容と診療科とに対応する共通のシェーマ画像群を特定してもよい。以下の説明では、患者情報１０３に含まれる患者の病名とオーダ内容に加えて患者情報１０３に含まれる他の情報を用いて共通のシェーマ画像群を特定する動作を「第２の動作」と表記する場合がある。
【００２１】
また、例えば、表示制御装置１００は、患者情報１０３に含まれる患者の病名とオーダ内容に加えて利用者情報を用いて共通のシェーマ画像群を特定してもよい。具体的には、表示制御装置１００は、患者の病名とオーダ内容と、表示制御装置１００の利用者の識別情報と、に対応する共通のシェーマ画像群を特定してもよい。以下の説明では、患者情報１０３に含まれる患者の病名とオーダ内容に加えて利用者情報を用いて共通のシェーマ画像群を特定する動作を「第３の動作」と表記する場合がある。
【００２２】
また、例えば、表示制御装置１００は、患者情報１０３に含まれる他の情報を用いてシェーマ画像群を特定してもよい。具体的には、表示制御装置１００は、患者の診療科に対応するシェーマ画像群を特定してもよい。また、例えば、表示制御装置１００は、利用者情報を用いてシェーマ画像群を特定してもよい。具体的には、表示制御装置１００は、表示制御装置１００の利用者の識別情報に対応するシェーマ画像群を特定してもよい。
【００２３】
（表示制御装置１００のハードウェア構成例）
図２は、実施の形態にかかる表示制御装置１００のハードウェア構成例を示すブロック図である。図２において、表示制御装置１００は、ＣＰＵ（Ｃｅｎｔｒａｌ  Ｐｒｏｃｅｓｓｉｎｇ  Ｕｎｉｔ）２０１と、ＲＯＭ（Ｒｅａｄ  Ｏｎｌｙ  Ｍｅｍｏｒｙ）２０２と、ＲＡＭ（Ｒａｎｄｏｍ  Ａｃｃｅｓｓ  Ｍｅｍｏｒｙ）２０３と、磁気ディスクドライブ（Ｈａｒｄ  Ｄｉｓｋ  Ｄｒｉｖｅ）２０４と、磁気ディスク２０５と、光ディスクドライブ２０６と、光ディスク２０７と、ディスプレイ２０８と、インターフェース（Ｉ／Ｆ：Ｉｎｔｅｒｆａｃｅ）２０９と、キーボード２１０と、マウス２１１と、スキャナ２１２と、プリンタ２１３と、を備えている。また、各構成部はバス２００によってそれぞれ接続されている。
【００２４】
ここで、ＣＰＵ２０１は、表示制御装置１００の全体の制御を司る。ＲＯＭ２０２は、ブートプログラムなどのプログラムを記憶している。ＲＡＭ２０３は、ＣＰＵ２０１のワークエリアとして使用される。磁気ディスクドライブ２０４は、ＣＰＵ２０１の制御に従って磁気ディスク２０５に対するデータのリード／ライトを制御する。磁気ディスク２０５は、磁気ディスクドライブ２０４の制御で書き込まれたデータを記憶する。
【００２５】
光ディスクドライブ２０６は、ＣＰＵ２０１の制御に従って光ディスク２０７に対するデータのリード／ライトを制御する。光ディスク２０７は、光ディスクドライブ２０６の制御で書き込まれたデータを記憶したり、光ディスク２０７に記憶されたデータをコンピュータに読み取らせたりする。
【００２６】
ディスプレイ２０８は、カーソル、アイコンあるいはツールボックスをはじめ、文書、画像、機能情報などのデータを表示する。このディスプレイ２０８は、例えば、液晶ディスプレイ、プラズマディスプレイなどを採用することができる。
【００２７】
インターフェース（以下、「Ｉ／Ｆ」と略する。）２０９は、通信回線を通じてＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどのネットワーク２１４に接続され、このネットワーク２１４を介して他の装置に接続される。そして、Ｉ／Ｆ２０９は、ネットワーク２１４と内部のインターフェースを司り、外部装置からのデータの入出力を制御する。Ｉ／Ｆ２０９には、例えば、モデムやＬＡＮアダプタなどを採用することができる。
【００２８】
キーボード２１０は、文字、数字、各種指示などの入力のためのキーを備え、データの入力をおこなう。また、タッチパネル式の入力パッドやテンキーなどであってもよい。マウス２１１は、カーソルの移動や範囲選択、あるいはウィンドウの移動やサイズの変更などをおこなう。ポインティングデバイスとして同様に機能を備えるものであれば、トラックボールやジョイスティックなどであってもよい。
【００２９】
スキャナ２１２は、画像を光学的に読み取り、表示制御装置１００内に画像データを取り込む。なお、スキャナ２１２は、ＯＣＲ（Ｏｐｔｉｃａｌ  Ｃｈａｒａｃｔｅｒ  Ｒｅａｄｅｒ）機能を持たせてもよい。また、プリンタ２１３は、画像データや文書データを印刷する。プリンタ２１３には、例えば、レーザプリンタやインクジェットプリンタを採用することができる。なお、光ディスクドライブ２０６、光ディスク２０７、ディスプレイ２０８、キーボード２１０、マウス２１１、スキャナ２１２、およびプリンタ２１３の少なくともいずれか１つは、なくてもよい。
【００３０】
（オーダ・シェーマ画像対応情報テーブル３００の記憶内容）
次に、図３を用いて、オーダ・シェーマ画像対応情報テーブル３００の記憶内容の一例について説明する。オーダ・シェーマ画像対応情報テーブル３００は、例えば、ＲＡＭ２０３、磁気ディスク２０５、光ディスク２０７などの記憶領域によって実現される。
【００３１】
図３は、オーダ・シェーマ画像対応情報テーブル３００の記憶内容の一例を示す説明図である。図３に示すように、オーダ・シェーマ画像対応情報テーブル３００は、オーダコード項目に対応付けて、画像ファイル名項目と、選択回数項目と、を有し、オーダコードごとに各項目に情報が設定されることにより、レコードを記憶する。
【００３２】
オーダコード項目には、オーダ内容を示すオーダコードが記憶される。画像ファイル名項目には、オーダコードが示すオーダ内容の患者の診察において、表示制御装置１００の利用者が使用する画像の画像ファイル名が記憶される。選択回数項目には、画像ファイル名の画像が選択された回数が記憶される。
【００３３】
例えば、レコード３０１は、オーダコード「Ｏ１」と、画像ファイル名「鼻正常」と、選択回数「１０」と、を含むオーダ・シェーマ画像対応情報を示す。ここで、「Ｏ１」は、例えば、オーダ内容「点鼻処置」を示す。
【００３４】
（病名・シェーマ画像対応情報テーブル４００の記憶内容）
次に、図４を用いて、病名・シェーマ画像対応情報テーブル４００の記憶内容の一例について説明する。病名・シェーマ画像対応情報テーブル４００は、例えば、ＲＡＭ２０３、磁気ディスク２０５、光ディスク２０７などの記憶領域によって実現される。
【００３５】
図４は、病名・シェーマ画像対応情報テーブル４００の記憶内容の一例を示す説明図である。図４に示すように、病名・シェーマ画像対応情報テーブル４００は、病名コード項目に対応付けて、画像ファイル名項目と、選択回数項目と、を有し、病名コードごとに各項目に情報が設定されることにより、レコードを記憶する。
【００３６】
病名コード項目には、病名を示す病名コードが記憶される。画像ファイル名項目には、病名コードが示す病名の患者の診察において、表示制御装置１００の利用者が使用する画像の画像ファイル名が記憶される。選択回数項目には、画像ファイル名の画像が選択された回数が記憶される。
【００３７】
例えば、レコード４０１は、病名コード「Ｓ１」と、画像ファイル名「鼻正常」と、選択回数「８」と、を含む病名・シェーマ画像対応情報を示す。ここで、「Ｓ１」は、例えば、病名「鼻出血症」を示す。
【００３８】
（診療科・シェーマ画像対応情報テーブル５００の記憶内容）
次に、図５を用いて、診療科・シェーマ画像対応情報テーブル５００の記憶内容の一例について説明する。診療科・シェーマ画像対応情報テーブル５００は、例えば、ＲＡＭ２０３、磁気ディスク２０５、光ディスク２０７などの記憶領域によって実現される。
【００３９】
図５は、診療科・シェーマ画像対応情報テーブル５００の記憶内容の一例を示す説明図である。図５に示すように、診療科・シェーマ画像対応情報テーブル５００は、診療科コード項目に対応付けて、画像ファイル名項目と、選択回数項目と、を有し、診療科コードごとに各項目に情報が設定されることにより、レコードを記憶する。
【００４０】
診療科コード項目には、診療科を示す診療科コードが記憶される。画像ファイル名項目には、診療科コードが示す診療科の患者の診察において、表示制御装置１００の利用者が使用する画像の画像ファイル名が記憶される。選択回数項目には、画像ファイル名の画像が選択された回数が記憶される。
【００４１】
例えば、レコード５０１は、診療科コード「Ｇ１」と、画像ファイル名「鼻正常」と、選択回数「５０」と、を含む診療科・シェーマ画像対応情報を示す。ここで、「Ｇ１」は、例えば、診療科「耳鼻咽喉科」を示す。
【００４２】
（利用者・シェーマ画像対応情報テーブル６００の記憶内容）
次に、図６を用いて、利用者・シェーマ画像対応情報テーブル６００の記憶内容の一例について説明する。利用者・シェーマ画像対応情報テーブル６００は、例えば、ＲＡＭ２０３、磁気ディスク２０５、光ディスク２０７などの記憶領域によって実現される。
【００４３】
図６は、利用者・シェーマ画像対応情報テーブル６００の記憶内容の一例を示す説明図である。図６に示すように、利用者・シェーマ画像対応情報テーブル６００は、利用者コード項目に対応付けて、画像ファイル名項目と、選択回数項目と、を有し、利用者コードごとに各項目に情報が設定されることにより、レコードを記憶する。
【００４４】
利用者コード項目には、利用者を示す利用者コードが記憶される。画像ファイル名項目には、利用者コードが示す利用者の患者の診察において、表示制御装置１００の利用者が使用する画像の画像ファイル名が記憶される。選択回数項目には、画像ファイル名の画像が選択された回数が記憶される。
【００４５】
例えば、レコード６０１は、利用者コード「Ｕ１」と、画像ファイル名「鼻正常」と、選択回数「４」と、を含む利用者・シェーマ画像対応情報を示す。
【００４６】
（表示制御装置１００の機能的構成例）
次に、図７を用いて、表示制御装置１００の機能的構成例について説明する。
【００４７】
図７は、表示制御装置１００の機能的構成例を示すブロック図である。表示制御装置１００は、取得部７０１と、特定部７０２と、決定部７０３と、出力部７０４と、を含む。取得部７０１と、特定部７０２と、決定部７０３と、出力部７０４とは、例えば、図２に示したＲＯＭ２０２、ＲＡＭ２０３、磁気ディスク２０５、光ディスク２０７などの記憶装置に記憶されたプログラムをＣＰＵ２０１に実行させることにより、または、Ｉ／Ｆ２０９により、その機能を実現する。
【００４８】
＜第１の動作＞
次に、第１の動作について説明する。第１の動作とは、例えば、患者情報１０３に含まれる病名とオーダ内容とを用いて共通のシェーマ画像群を特定する動作である。
【００４９】
取得部７０１は、患者情報１０３から患者の病名と患者に対する処置内容とを取得する。ここで、患者情報１０３とは、例えば、患者の病名と、患者に対する処置内容と、患者が受診する診療科と、などを含む情報である。病名とは、例えば、上述した鼻出血症、内耳炎、またはアレルギー性肺炎などである。処置内容は、例えば、上述したオーダ内容であって、腹腔穿刺、骨髄穿刺、または点鼻処置などの医療行為の内容である。処置内容は、例えば、今後実施予定のある処置内容であってもよいし、過去に実施された処置内容であってもよい。また、処置内容は、例えば、既往歴（手術歴、輸血歴）に含まれる手術内容や輸血内容、検査内容、検査結果などであってもよい。これにより、特定部７０２は、病名に対応するシェーマ画像群と、オーダ内容に対応するシェーマ画像群と、を特定することができる。取得されたデータは、例えば、ＲＡＭ２０３、磁気ディスク２０５、光ディスク２０７などの記憶領域に記憶される。
【００５０】
特定部７０２は、病名と、病名の患者の診察において選択されて用いられる画像と、を対応付けて記憶する第１の記憶部を参照して、取得した病名に対応する第１の画像群を特定する。ここで、第１の記憶部とは、例えば、上述した病名・シェーマ画像対応情報テーブル４００である。特定部７０２は、例えば、病名・シェーマ画像対応情報テーブル４００から、取得した病名を示す病名コードを含むレコードを特定して、特定したレコードから画像ファイル名を特定する。
【００５１】
また、特定部７０２は、処置内容と、処置内容の患者の診察において選択されて用いられる画像と、を対応付けて記憶する第２の記憶部を参照して、取得した処置内容に対応する第２の画像群を特定する。ここで、第２の記憶部とは、例えば、上述したオーダ・シェーマ画像対応情報テーブル３００である。特定部７０２は、例えば、オーダ・シェーマ画像対応情報テーブル３００から、取得したオーダ内容を示すオーダコードを含むレコードを特定して、特定したレコードから画像ファイル名を特定する。これにより、特定部７０２は、診察記録として記録されるシェーマ画像の候補になるシェーマ画像群を特定することができる。特定されたデータは、例えば、ＲＡＭ２０３、磁気ディスク２０５、光ディスク２０７などの記憶領域に記憶される。
【００５２】
決定部７０３は、特定した第１の画像群と、特定した第２の画像群と、の両方に含まれる共通の画像群に含まれる画像の表示順序を、患者の診察において選択された選択回数が多い順に表示する表示順序に決定する。
【００５３】
決定部７０３は、例えば、病名・シェーマ画像対応情報テーブル４００と、オーダ・シェーマ画像対応情報テーブル３００と、から、共通の画像群の各々の画像の選択回数の合計を算出する。そして、決定部７０３は、算出した選択回数の合計に基づいて、共通の画像群に含まれる画像の表示順序を、選択回数の合計が多い順に表示する表示順序に決定する。
【００５４】
また、決定部７０３は、第１の画像群と、第２の画像群と、から共通の画像群を除いた画像群に含まれる画像の表示順序を、決定した表示順序より後ろの表示順序であって、患者の診察において選択された選択回数が多い順に表示する表示順序に決定してもよい。
【００５５】
決定部７０３は、例えば、病名・シェーマ画像対応情報テーブル４００と、オーダ・シェーマ画像対応情報テーブル３００と、から、共通の画像群を除いた画像群の各々の画像の選択回数を抽出する。そして、決定部７０３は、抽出した選択回数に基づいて、共通の画像群を除いた画像群に含まれる画像の表示順序を、選択回数が多い順に表示する表示順序に決定する。これにより、決定部７０３は、シェーマ画像群のうちで選択回数の多い順に、表示制御装置１００の利用者に診察記録にするシェーマ画像か否かを検討させることができる。決定されたデータは、例えば、ＲＡＭ２０３、磁気ディスク２０５、光ディスク２０７などの記憶領域に記憶される。
【００５６】
出力部７０４は、決定した表示順序に従って画像を表示する。出力部７０４は、例えば、決定した表示順序に従って画像ＤＢ１０２のシェーマ画像をディスプレイ２０８に表示する。出力部７０４は、ディスプレイ２０８に一度に表示可能なシェーマ画像の数に上限がある場合、決定した表示順序に従って、一度に表示可能なシェーマ画像の数ずつ画像ＤＢ１０２のシェーマ画像をディスプレイ２０８に表示してもよい。
【００５７】
また、出力部７０４は、例えば、決定した表示順序に従って画像ＤＢ１０２のシェーマ画像の画像ファイル名をディスプレイ２０８に表示してもよい。また、出力部７０４は、例えば、決定した表示順序に従って画像ＤＢ１０２のシェーマ画像の縮小画像をディスプレイ２０８に表示してもよい。これにより、出力部７０４は、表示制御装置１００の利用者に、シェーマ画像を通知することができる。
【００５８】
＜第２の動作＞
次に、第２の動作について説明する。第２の動作とは、例えば、患者情報１０３に含まれる患者の病名とオーダ内容に加えて患者情報１０３に含まれる他の情報を用いて共通のシェーマ画像群を特定する動作である。ここで、患者情報１０３に含まれる他の情報とは、例えば、患者の既往歴、患者の検査内容、患者の検査結果、または患者が受診する診療科などの情報である。
【００５９】
取得部７０１は、第１の動作の場合と同様に動作する。また、取得部７０１は、さらに、患者情報１０３から患者が受診する診療科を取得する。診療科とは、例えば、耳鼻咽喉科、外科、または小児科などである。これにより、特定部７０２は、病名に対応するシェーマ画像群と、オーダ内容に対応するシェーマ画像群と、診療科に対応するシェーマ画像群と、を特定することができる。
【００６０】
特定部７０２は、第１の動作の場合と同様に動作する。また、特定部７０２は、さらに、診療科と、診療科を受診する患者の診察において選択されて用いられる画像と、を対応付けて記憶する第３の記憶部を参照して、取得した診療科に対応する第３の画像群を特定する。ここで、第３の記憶部とは、例えば、上述した診療科・シェーマ画像対応情報テーブル５００である。特定部７０２は、例えば、診療科・シェーマ画像対応情報テーブル５００から、取得した診療科を示す診療科コードを含むレコードを特定して、特定したレコードから画像ファイル名を特定する。これにより、特定部７０２は、診察記録として記録されるシェーマ画像の候補になるシェーマ画像群を特定することができる。
【００６１】
決定部７０３は、第１の画像群と、第２の画像群と、第３の画像群と、に含まれる共通の画像群に含まれる画像の表示順序を、患者の診察において選択された選択回数が多い順に表示する表示順序に決定する。
【００６２】
決定部７０３は、例えば、病名・シェーマ画像対応情報テーブル４００と、オーダ・シェーマ画像対応情報テーブル３００と、診療科・シェーマ画像対応情報テーブル５００と、から、共通の画像群の各々の画像の選択回数の合計を算出する。そして、決定部７０３は、算出した選択回数の合計に基づいて、共通の画像群に含まれる画像の表示順序を、選択回数の合計が多い順に表示する表示順序に決定する。
【００６３】
また、決定部７０３は、第１の画像群と、第２の画像群と、の両方に含まれる共通の画像群から、第３の画像群に含まれる画像群を除いた画像群に含まれる画像の表示順序を、決定してもよい。ここで、決定部７０３は、第３の画像群に含まれる画像群を除いた画像群に含まれる画像の表示順序を、決定した表示順序より後ろの表示順序であって、患者の診察において選択された選択回数が多い順に表示する表示順序に決定する。
【００６４】
決定部７０３は、例えば、各種テーブルから、第３の画像群に含まれる画像群を除いた画像群の各々の画像の選択回数の合計を算出する。各種テーブルとは、例えば、病名・シェーマ画像対応情報テーブル４００と、オーダ・シェーマ画像対応情報テーブル３００と、診療科・シェーマ画像対応情報テーブル５００と、である。そして、決定部７０３は、算出した選択回数の合計に基づいて、第３の画像群に含まれる画像群を除いた画像群に含まれる画像の表示順序を、選択回数の合計が多い順に表示する表示順序に決定する。これにより、決定部７０３は、シェーマ画像群のうちで選択回数の多い順に、表示制御装置１００の利用者に診察記録にするシェーマ画像か否かを検討させることができる。
【００６５】
出力部７０４は、第１の動作の場合と同様に動作する。これにより、出力部７０４は、表示制御装置１００の利用者に、シェーマ画像を通知することができる。
【００６６】
＜第３の動作＞
次に、第３の動作について説明する。第３の動作とは、例えば、患者情報１０３に含まれる患者の病名とオーダ内容に加えて利用者情報を用いて共通のシェーマ画像群を特定する動作である。利用者情報とは、例えば、表示制御装置１００を使用し、患者を診察する診察医の識別情報である。
【００６７】
取得部７０１は、第１の動作の場合と同様に動作する。また、取得部７０１は、さらに、利用者情報から患者を診察する診察医の識別情報を取得する。診察医の識別情報とは、例えば、上述した利用者コードである。これにより、特定部７０２は、病名に対応するシェーマ画像群と、オーダ内容に対応するシェーマ画像群と、利用者コードに対応するシェーマ画像群と、を特定することができる。
【００６８】
特定部７０２は、第１の動作の場合と同様に動作する。また、特定部７０２は、さらに、診察医の識別情報と、診察医が診察する患者の診察において選択されて用いられる画像と、を対応付けて記憶する第４の記憶部を参照して、取得した識別情報に対応する第４の画像群を特定する。ここで、第４の記憶部とは、例えば、上述した利用者・シェーマ画像対応情報テーブル６００である。特定部７０２は、例えば、利用者・シェーマ画像対応情報テーブル６００から、取得した利用者コードを含むレコードを特定して、特定したレコードから画像ファイル名を特定する。これにより、特定部７０２は、診察記録として記録されるシェーマ画像の候補になるシェーマ画像群を特定することができる。
【００６９】
決定部７０３は、第１の画像群と、第２の画像群と、第４の画像群と、に含まれる共通の画像群に含まれる画像の表示順序を、患者の診察において選択された選択回数が多い順に表示する表示順序に決定する。
【００７０】
決定部７０３は、例えば、病名・シェーマ画像対応情報テーブル４００と、オーダ・シェーマ画像対応情報テーブル３００と、利用者・シェーマ画像対応情報テーブル６００と、から、共通の画像群の各々の画像の選択回数の合計を算出する。そして、決定部７０３は、算出した選択回数の合計に基づいて、共通の画像群に含まれる画像の表示順序を、選択回数の合計が多い順に表示する表示順序に決定する。
【００７１】
また、決定部７０３は、第１の画像群と、第２の画像群と、の両方に含まれる共通の画像群から、第４の画像群に含まれる画像群を除いた画像群に含まれる画像の表示順序を、決定してもよい。ここで、決定部７０３は、第４の画像群に含まれる画像群を除いた画像群に含まれる画像の表示順序を、決定した表示順序より後ろの表示順序であって、患者の診察において選択された選択回数が多い順に表示する表示順序に決定する。
【００７２】
決定部７０３は、例えば、各種テーブルから、第４の画像群に含まれる画像群を除いた画像群の各々の画像の選択回数の合計を算出する。各種テーブルとは、例えば、病名・シェーマ画像対応情報テーブル４００と、オーダ・シェーマ画像対応情報テーブル３００と、利用者・シェーマ画像対応情報テーブル６００と、である。そして、決定部７０３は、算出した選択回数の合計に基づいて、第４の画像群に含まれる画像群を除いた画像群に含まれる画像の表示順序を、選択回数の合計が多い順に表示する表示順序に決定する。これにより、決定部７０３は、シェーマ画像群のうちで選択回数の多い順に、表示制御装置１００の利用者に診察記録にするシェーマ画像か否かを検討させることができる。
【００７３】
出力部７０４は、第１の動作の場合と同様に動作する。これにより、出力部７０４は、表示制御装置１００の利用者に、シェーマ画像を通知することができる。
【００７４】
（第１の動作の一例）
次に、図８および図９を用いて、第１の動作の一例について説明する。第１の動作とは、例えば、患者情報１０３に含まれる病名とオーダ内容とを用いて共通のシェーマ画像群を特定する動作である。
【００７５】
図８および図９は、第１の動作の一例を示す説明図である。図８に示すように、表示制御装置１００は、患者の診察記録の入力画面を、ディスプレイ２０８に表示する。表示制御装置１００には、例えば、患者情報１０３に含まれる患者の病名８０１やシェーマ画像の表示ボタン８０２が表示される。表示制御装置１００には、例えば、患者の病名として鼻出血症が表示される。
【００７６】
ここで、表示制御装置１００は、表示制御装置１００の利用者からのシェーマ画像の表示要求を受け付ける。表示制御装置１００は、例えば、表示制御装置１００の利用者がキーボード２１０やマウス２１１の操作によってシェーマ画像の表示ボタン８０２を選択したことを、シェーマ画像の表示要求として受け付ける。次に、表示制御装置１００は、図９の処理に移行する。
【００７７】
図９に示すように、表示制御装置１００は、患者情報１０３から患者の病名「鼻出血症」とオーダ内容「点鼻処置」とを取得する。次に、表示制御装置１００は、病名・シェーマ画像対応情報テーブル４００から、取得した病名「鼻出血症」を示す病名コードを含むレコードを特定して、特定したレコードから画像ファイル名を特定する。このように、表示制御装置１００は、病名「鼻出血症」に対応するシェーマ画像群を特定する。
【００７８】
次に、表示制御装置１００は、オーダ・シェーマ画像対応情報テーブル３００から、取得したオーダ内容「点鼻処置」を示すオーダコードを含むレコードを特定して、特定したレコードから画像ファイル名を特定する。このように、表示制御装置１００は、オーダ内容「点鼻処置」に対応するシェーマ画像群を特定する。そして、表示制御装置１００は、病名「鼻出血症」に対応するシェーマ画像群と、オーダ内容「点鼻処置」に対応するシェーマ画像群と、の両方に含まれる共通のシェーマ画像群を特定する。
【００７９】
次に、表示制御装置１００は、共通のシェーマ画像群に含まれる各々のシェーマ画像について、病名・シェーマ画像対応情報テーブル４００と、オーダ・シェーマ画像対応情報テーブル３００と、に記憶された選択回数の合計値を算出する。そして、表示制御装置１００は、共通のシェーマ画像群に含まれるシェーマ画像の表示順序を、選択回数の合計値が多い順に表示する表示順序に決定する。
【００８０】
次に、表示制御装置１００は、病名に対応するシェーマ画像群と、オーダ内容に対応するシェーマ画像群と、から共通のシェーマ画像群を除いた残余のシェーマ画像群を特定する。そして、表示制御装置１００は、残余のシェーマ画像群に含まれる各々のシェーマ画像について、病名・シェーマ画像対応情報テーブル４００、またはオーダ・シェーマ画像対応情報テーブル３００に記憶された選択回数を抽出する。
【００８１】
次に、表示制御装置１００は、残余のシェーマ画像群に含まれるシェーマ画像の表示順序を、共通のシェーマ画像群より後ろの表示順序であって、選択回数が多い順に表示する表示順序に決定する。そして、表示制御装置１００は、決定した表示順序に従って、共通のシェーマ画像群に含まれるシェーマ画像を表示する。また、表示制御装置１００は、決定した表示順序に従って、残余のシェーマ画像群に含まれるシェーマ画像を表示する。
【００８２】
ここで、表示制御装置１００は、表示したシェーマ画像を、表示制御装置１００の利用者がキーボード２１０やマウス２１１の操作によって選択したことを受け付ける。次に、表示制御装置１００は、選択されたシェーマ画像を、患者の診察記録として記録するシェーマ画像として拡大表示する。そして、表示制御装置１００は、拡大表示したシェーマ画像に対しての表示制御装置１００の利用者がキーボード２１０やマウス２１１の操作によって書き込んだ所見などの情報を、シェーマ画像とともに診察記録として記録する。
【００８３】
これにより、表示制御装置１００は、患者の病名とオーダ内容との両方に対応する共通のシェーマ画像群を、選択回数の多い順に優先して表示することができる。このため、表示制御装置１００の利用者は、診察する患者の病名とオーダ内容に対応しつつ選択回数が多いシェーマ画像から優先して、診察する患者の診察記録として選択して使用するシェーマ画像にするか否かを検討することができる。結果として、表示制御装置１００の利用者は、シェーマ画像の選択にかかる時間を短縮することができる。
【００８４】
また、これにより、表示制御装置１００は、共通のシェーマ画像群の後に、患者の病名に対応するシェーマ画像群と、オーダ内容に対応するシェーマ画像群と、を、選択回数が多い順に優先して表示することができる。このため、表示制御装置１００の利用者は、診察する患者の病名またはオーダ内容に対応しつつ選択回数が多いシェーマ画像から優先して、診察する患者の診察記録として選択して使用するシェーマ画像にするか否かを検討することができる。結果として、表示制御装置１００の利用者は、シェーマ画像の選択にかかる時間を短縮することができる。
【００８５】
（第２の動作の一例）
次に、図１０を用いて、第２の動作の一例について説明する。第２の動作とは、例えば、患者情報１０３に含まれる患者の病名とオーダ内容に加えて患者情報１０３に含まれる他の情報を用いて共通のシェーマ画像群を特定する動作である。図１０の例では、他の情報とは、例えば、患者が受診する診療科である。
【００８６】
図１０は、第２の動作の一例を示す説明図である。図１０において、表示制御装置１００は、さらに、患者情報１０３に含まれる患者の病名とオーダ内容とに加えて患者が受診する診療科を用いて共通のシェーマ画像群を特定する。
【００８７】
表示制御装置１００は、図９と同様にして、病名「鼻出血症」に対応するシェーマ画像群と、オーダ内容「点鼻処置」に対応するシェーマ画像群と、を特定する。表示制御装置１００は、さらに、患者情報１０３から患者が受診する診療科「耳鼻咽喉科」を取得する。次に、表示制御装置１００は、診療科・シェーマ画像対応情報テーブル５００から、取得した診療科「耳鼻咽喉科」を示す診療科コードを含むレコードを特定して、特定したレコードから画像ファイル名を特定する。このように、表示制御装置１００は、診療科「耳鼻咽喉科」に対応するシェーマ画像群を特定する。
【００８８】
そして、表示制御装置１００は、病名に対応するシェーマ画像群と、オーダ内容に対応するシェーマ画像群と、診療科に対応するシェーマ画像群と、の３つのシェーマ画像群に含まれる共通のシェーマ画像群を特定する。
【００８９】
次に、表示制御装置１００は、共通のシェーマ画像群に含まれる各々のシェーマ画像について、各種テーブルに記憶された選択回数の合計値を算出する。ここで、各種テーブルとは、例えば、病名・シェーマ画像対応情報テーブル４００と、オーダ・シェーマ画像対応情報テーブル３００と、診療科・シェーマ画像対応情報テーブル５００と、である。そして、表示制御装置１００は、３つのシェーマ画像群に含まれる共通のシェーマ画像群に含まれるシェーマ画像の表示順序を、選択回数の合計値が多い順に表示する表示順序に決定する。
【００９０】
また、表示制御装置１００は、３つのシェーマ画像群のうちの１つのシェーマ画像群に含まれず、残りの２つのシェーマ画像群に含まれる共通のシェーマ画像群を特定する。そして、表示制御装置１００は、２つのシェーマ画像群に含まれる共通のシェーマ画像群に含まれる各々のシェーマ画像について、各種テーブルに記憶された選択回数の合計値を算出する。各種テーブルとは、例えば、病名・シェーマ画像対応情報テーブル４００と、オーダ・シェーマ画像対応情報テーブル３００と、診療科・シェーマ画像対応情報テーブル５００と、である。
【００９１】
次に、表示制御装置１００は、２つのシェーマ画像群に含まれる共通のシェーマ画像群に含まれるシェーマ画像の表示順序を、３つのシェーマ画像群に含まれる共通のシェーマ画像群より後ろの表示順序であって、選択回数が多い順に表示する表示順序に決定する。
【００９２】
次に、表示制御装置１００は、３つのシェーマ画像群のうちの２つの画像群に含まれず、残りの１つのシェーマ画像群に含まれる残余のシェーマ画像群を特定する。そして、表示制御装置１００は、残余のシェーマ画像群に含まれる各々のシェーマ画像について、各種テーブルに記憶された選択回数を抽出する。各種テーブルとは、病名・シェーマ画像対応情報テーブル４００、オーダ・シェーマ画像対応情報テーブル３００、または診療科・シェーマ画像対応情報テーブル５００である。
【００９３】
次に、表示制御装置１００は、残余のシェーマ画像群に含まれるシェーマ画像の表示順序を、２つのシェーマ画像群に含まれる共通のシェーマ画像群より後ろの表示順序であって、選択回数が多い順に表示する表示順序に決定する。そして、表示制御装置１００は、決定した表示順序に従って、３つのシェーマ画像群に含まれる共通のシェーマ画像群に含まれるシェーマ画像を表示する。また、表示制御装置１００は、決定した表示順序に従って、２つのシェーマ画像群に含まれる共通のシェーマ画像群に含まれるシェーマ画像を表示する。また、表示制御装置１００は、決定した表示順序に従って、残余のシェーマ画像群に含まれるシェーマ画像を表示する。
【００９４】
ここで、表示制御装置１００は、表示したシェーマ画像を、表示制御装置１００の利用者がキーボード２１０やマウス２１１の操作によって選択したことを受け付ける。次に、表示制御装置１００は、選択されたシェーマ画像を、患者の診察記録として記録するシェーマ画像として拡大表示する。そして、表示制御装置１００は、拡大表示したシェーマ画像に対しての表示制御装置１００の利用者がキーボード２１０やマウス２１１の操作によって書き込んだ所見などの情報を、シェーマ画像とともに診察記録として記録する。
【００９５】
これにより、表示制御装置１００は、患者の病名とオーダ内容と診療科とに対応するシェーマ画像群を、選択回数の多い順に優先して表示することができる。このため、表示制御装置１００の利用者は、診察する患者の病名とオーダ内容と診療科とに対応しつつ選択回数が多いシェーマ画像から優先して、診察する患者の診察記録として選択して使用するシェーマ画像にするか否かを検討することができる。結果として、表示制御装置１００の利用者は、シェーマ画像の選択にかかる時間を短縮することができる。
【００９６】
また、これにより、表示制御装置１００は、患者の病名とオーダ内容と診療科とに対応するシェーマ画像群の後に、患者の病名とオーダ内容と診療科とのうちの２つに対応するシェーマ画像群を、選択回数の多い順に優先して表示することができる。このため、表示制御装置１００の利用者は、診察する患者の病名とオーダ内容と診療科とのうちの２つに対応しつつ選択回数が多いシェーマ画像から優先して、診察する患者の診察記録として選択して使用するシェーマ画像にするか否かを検討することができる。結果として、表示制御装置１００の利用者は、シェーマ画像の選択にかかる時間を短縮することができる。
【００９７】
また、これにより、表示制御装置１００は、患者の病名に対応するシェーマ画像群と、オーダ内容に対応するシェーマ画像群と、診療科に対応するシェーマ画像群と、を、選択回数の多い順に表示することができる。このため、表示制御装置１００の利用者は、診察する患者の病名、オーダ内容または診療科に対応しつつ選択回数が多いシェーマ画像から優先して、診察する患者の診察記録として選択して使用するシェーマ画像にするか否かを検討することができる。結果として、表示制御装置１００の利用者は、シェーマ画像の選択にかかる時間を短縮することができる。
【００９８】
ここでは、表示制御装置１００は、患者情報に含まれる３つの情報に対応する共通のシェーマ画像群を特定して表示順序を決定したが、これに限らない。例えば、表示制御装置１００は、患者情報に含まれる４つ以上の情報に対応する共通のシェーマ画像群を特定して表示順序を決定してもよい。
【００９９】
また、例えば、表示制御装置１００は、患者情報１０３に含まれる他の情報に対応するシェーマ画像群を特定して表示順序を決定してもよい。具体的には、表示制御装置１００は、診療科に対応するシェーマ画像群を選択回数の多い順に表示してもよい。
【０１００】
（第３の動作の一例）
次に、第３の動作の一例について説明する。第３の動作とは、例えば、患者情報１０３に含まれる患者の病名とオーダ内容に加えて利用者情報を用いて共通のシェーマ画像群を特定する動作である。利用者情報とは、例えば、表示制御装置１００を使用し、患者を診察する診察医の識別情報である。
【０１０１】
表示制御装置１００は、図１０における診療科の代わりに、利用者情報に含まれる患者を診察する診察医の識別情報を用いて、共通のシェーマ画像群を特定し、表示順序を決定する。表示制御装置１００の動作は、図１０において、診療科の代わりに診察医の識別情報を用いた場合と同様のため、説明を省略する。
【０１０２】
これにより、表示制御装置１００は、患者の病名とオーダ内容と、利用者になる診察医の識別情報とに対応する共通のシェーマ画像群を、選択回数の多い順に優先して表示することができる。このため、表示制御装置１００の利用者は、診察する患者の病名とオーダ内容と、診察医の識別情報とに対応しつつ選択回数が多いシェーマ画像から優先して、診察する患者の診察記録として選択して使用するシェーマ画像にするか否かを検討することができる。結果として、表示制御装置１００の利用者は、シェーマ画像の選択にかかる時間を短縮することができる。
【０１０３】
また、これにより、表示制御装置１００は、患者の病名とオーダ内容と、診察医の識別情報とに対応するシェーマ画像群の後に、患者の病名とオーダ内容と、診察医の識別情報とのうちの２つに対応するシェーマ画像群を、表示することができる。ここで、表示制御装置１００は、患者の病名とオーダ内容と、診察医の識別情報とのうちの２つに対応するシェーマ画像群を、選択回数の多い順に優先して表示する。このため、表示制御装置１００の利用者は、診察する患者の病名とオーダ内容と、診察医の識別情報とのうちの２つに対応しつつ選択回数が多いシェーマ画像から優先して、診察記録として選択して使用するシェーマ画像にするか否かを検討することができる。結果として、表示制御装置１００の利用者は、シェーマ画像の選択にかかる時間を短縮することができる。
【０１０４】
また、これにより、表示制御装置１００は、患者の病名に対応するシェーマ画像群と、オーダ内容に対応するシェーマ画像群と、診察医の識別情報とに対応するシェーマ画像群と、を、選択回数の多い順に表示することができる。このため、表示制御装置１００の利用者は、診察する患者の病名、オーダ内容または診察医の識別情報とに対応しつつ選択回数が多いシェーマ画像から優先して、診察する患者の診察記録として選択して使用するシェーマ画像にするか否かを検討することができる。結果として、表示制御装置１００の利用者は、シェーマ画像の選択にかかる時間を短縮することができる。
【０１０５】
また、例えば、表示制御装置１００は、利用者情報を用いてシェーマ画像群を特定して表示順序を決定してもよい。具体的には、表示制御装置１００は、診察医の識別情報に対応するシェーマ画像群を選択回数の多い順に表示してもよい。
【０１０６】
（第１の動作の別の例）
次に、図１１〜図１３を用いて、第１の動作の別の例について説明する。
【０１０７】
図１１〜図１３は、第１の動作の別の例を示す説明図である。図１１に示すように、表示制御装置１００は、患者の病名「中耳炎」かつオーダ内容「点耳処置」である場合、病名「中耳炎」に対応するシェーマ画像群と、オーダ内容「点耳処置」に対応するシェーマ画像群と、を特定する。次に、表示制御装置１００は、病名「中耳炎」に対応するシェーマ画像群と、オーダ内容「点耳処置」に対応するシェーマ画像群と、に含まれる共通のシェーマ画像群を特定する。そして、表示制御装置１００は、共通のシェーマ画像群の表示順序を決定して、表示する。
【０１０８】
図１２に示すように、表示制御装置１００は、患者の病名「アレルギー性肺炎」かつオーダ内容「ＣＴ検査」である場合、病名「アレルギー性肺炎」に対応するシェーマ画像群と、オーダ内容「ＣＴ検査」に対応するシェーマ画像群と、を特定する。次に、表示制御装置１００は、病名「アレルギー性肺炎」に対応するシェーマ画像群と、オーダ内容「ＣＴ検査」に対応するシェーマ画像群と、に含まれる共通のシェーマ画像群を特定する。そして、表示制御装置１００は、共通のシェーマ画像群の表示順序を決定して、表示する。
【０１０９】
図１３に示すように、表示制御装置１００は、患者の病名「腹満苦」かつオーダ内容「腹腔穿刺」である場合、病名「腹満苦」に対応するシェーマ画像群と、オーダ内容「腹腔穿刺」に対応するシェーマ画像群と、を特定する。次に、表示制御装置１００は、病名「腹満苦」に対応するシェーマ画像群と、オーダ内容「腹腔穿刺」に対応するシェーマ画像群と、に含まれる共通のシェーマ画像群を特定する。そして、表示制御装置１００は、共通のシェーマ画像群の表示順序を決定して、表示する。
【０１１０】
（表示制御装置１００の表示制御処理手順）
次に、図１４を用いて、表示制御装置１００の表示制御処理手順の一例について説明する。図１４に示す処理により、図８〜図１０に示した表示制御装置１００の動作が実行される。
【０１１１】
図１４は、表示制御装置１００の表示制御処理手順の一例を示すフローチャートである。図１４において、表示制御装置１００は、患者情報１０３が入力されたか否かを判定する（ステップＳ１４０１）。ここで、患者情報１０３が入力されていない場合（ステップＳ１４０１：Ｎｏ）、表示制御装置１００は、ステップＳ１４０１の処理に戻る。
【０１１２】
一方で、患者情報１０３が入力された場合（ステップＳ１４０１：Ｙｅｓ）、表示制御装置１００は、第１のシェーマ画像検索処理を実行する（ステップＳ１４０２）。次に、表示制御装置１００は、表示順序に従ってシェーマ画像を表示する（ステップＳ１４０３）。
【０１１３】
そして、表示制御装置１００は、利用者情報が入力されたか否かを判定する（ステップＳ１４０４）。ここで、利用者情報が入力されていない場合（ステップＳ１４０４：Ｎｏ）、表示制御装置１００は、ステップＳ１４０４の処理に戻る。
【０１１４】
一方で、利用者情報が入力された場合（ステップＳ１４０４：Ｙｅｓ）、表示制御装置１００は、第２のシェーマ画像検索処理を実行する（ステップＳ１４０５）。次に、表示制御装置１００は、表示順序に従ってシェーマ画像を表示する（ステップＳ１４０６）。
【０１１５】
これにより、表示制御装置１００は、患者の病名とオーダ内容との両方に対応する共通のシェーマ画像群を、選択回数の多い順に優先して表示することができる。このため、表示制御装置１００の利用者は、診察する患者の病名とオーダ内容に対応しつつ選択回数が多いシェーマ画像から優先して、診察する患者の診察記録として選択して使用するシェーマ画像にするか否かを検討することができる。結果として、表示制御装置１００の利用者は、シェーマ画像の選択にかかる時間を短縮することができる。
【０１１６】
また、これにより、表示制御装置１００は、共通のシェーマ画像群の後に、患者の病名に対応するシェーマ画像群と、オーダ内容に対応するシェーマ画像群と、を、選択回数が多い順に優先して表示することができる。このため、表示制御装置１００の利用者は、診察する患者の病名またはオーダ内容に対応しつつ選択回数が多いシェーマ画像から優先して、診察する患者の診察記録として選択して使用するシェーマ画像にするか否かを検討することができる。結果として、表示制御装置１００の利用者は、シェーマ画像の選択にかかる時間を短縮することができる。
【０１１７】
（第１のシェーマ画像検索処理手順）
次に、図１５を用いて、第１のシェーマ画像検索処理手順の一例について説明する。
【０１１８】
図１５は、第１のシェーマ画像検索処理手順の一例を示すフローチャートである。図１５において、表示制御装置１００は、患者情報１０３に含まれる各情報に対応するシェーマ画像を特定する（ステップＳ１５０１）。
【０１１９】
次に、表示制御装置１００は、シェーマ画像があるか否かを判定する（ステップＳ１５０２）。ここで、シェーマ画像がない場合（ステップＳ１５０２：Ｎｏ）、表示制御装置１００は、シェーマ画像なしを表示して（ステップＳ１５０３）、第１のシェーマ画像検索処理を終了する。
【０１２０】
一方で、シェーマ画像がある場合（ステップＳ１５０２：Ｙｅｓ）、表示制御装置１００は、患者情報１０３に複数の情報が含まれているか否かを判定する（ステップＳ１５０４）。ここで、複数の情報が含まれていない場合（ステップＳ１５０４：Ｎｏ）、表示制御装置１００は、特定したシェーマ画像群を選択回数の降順に並べて（ステップＳ１５０５）、表示する（ステップＳ１５０６）。そして、表示制御装置１００は、第１のシェーマ画像検索処理を終了する。
【０１２１】
一方で、複数の情報が含まれている場合（ステップＳ１５０４：Ｙｅｓ）、表示制御装置１００は、複数の情報に対応する共通のシェーマ画像群を選択回数の降順に並べて（ステップＳ１５０７）、表示する（ステップＳ１５０８）。次に、表示制御装置１００は、残余のシェーマ画像群を選択回数の降順に並べて（ステップＳ１５０９）、表示する（ステップＳ１５１０）。そして、表示制御装置１００は、第１のシェーマ画像検索処理を終了する。
【０１２２】
（第２のシェーマ画像検索処理手順）
次に、図１６を用いて、第２のシェーマ画像検索処理手順の一例について説明する。
【０１２３】
図１６は、第２のシェーマ画像検索処理手順の一例を示すフローチャートである。図１６において、表示制御装置１００は、利用者情報に含まれる各情報に対応するシェーマ画像を特定する（ステップＳ１６０１）。
【０１２４】
次に、表示制御装置１００は、シェーマ画像があるか否かを判定する（ステップＳ１６０２）。ここで、シェーマ画像がない場合（ステップＳ１６０２：Ｎｏ）、表示制御装置１００は、シェーマ画像なしを表示して（ステップＳ１６０３）、第２のシェーマ画像検索処理を終了する。
【０１２５】
一方で、シェーマ画像がある場合（ステップＳ１６０２：Ｙｅｓ）、表示制御装置１００は、特定したシェーマ画像群を選択回数の降順に並べて（ステップＳ１６０４）、表示する（ステップＳ１６０５）。そして、表示制御装置１００は、第２のシェーマ画像検索処理を終了する。
【０１２６】
（テーブル更新処理手順）
次に、図１７を用いて、テーブル更新処理手順の一例について説明する。
【０１２７】
図１７は、テーブル更新処理手順の一例を示すフローチャートである。図１７において、表示制御装置１００は、表示したシェーマ画像が選択されたか否かを判定する（ステップＳ１７０１）。ここで、選択されていない場合（ステップＳ１７０１：Ｎｏ）、表示制御装置１００は、ステップＳ１７０１の処理に戻る。
【０１２８】
一方で、選択された場合（ステップＳ１７０１：Ｙｅｓ）、表示制御装置１００は、選択されたシェーマ画像についての各種テーブルのレコードに記憶された選択回数をインクリメントする（ステップＳ１７０２）。そして、表示制御装置１００は、テーブル更新処理を終了する。
【０１２９】
以上説明したように、表示制御装置１００によれば、病名に対応するシェーマ画像群と、オーダ内容に対応するシェーマ画像群と、に含まれる共通のシェーマ画像群を特定することができる。そして、表示制御装置１００によれば、共通のシェーマ画像群に含まれるシェーマ画像の表示順序を選択回数の多い順に表示する表示順序に決定することができる。これにより、表示制御装置１００は、患者の病名とオーダ内容との両方に対応するシェーマ画像を優先して表示することができる。
【０１３０】
このため、表示制御装置１００の利用者は、診察する患者の病名とオーダ内容に対応しつつ選択回数が多いシェーマ画像から優先して、診察する患者の診察記録として選択して使用するシェーマ画像にするか否かを検討することができる。結果として、表示制御装置１００の利用者は、シェーマ画像の選択にかかる時間を短縮することができる。さらに、表示制御装置１００の利用者は、患者の診察においてシェーマ画像の選択にかかる時間を短縮して、患者の診察にかかる時間を短縮することができ、医療サービスの質の向上を図ることができる。
【０１３１】
また、これにより、表示制御装置１００は、表示制御装置１００の利用者になる診察医などが普段使用していないシェーマ画像であっても、診察する患者の病名とオーダ内容に対応しつつ選択回数が多いシェーマ画像であれば優先して表示することができる。このため、表示制御装置１００の利用者は、普段使用していないシェーマ画像であっても診察する患者の診察記録として選択して使用するシェーマ画像にするか否かを検討することができる。
【０１３２】
また、表示制御装置１００によれば、病名に対応するシェーマ画像群と、オーダ内容に対応するシェーマ画像群と、から共通のシェーマ画像群を除いた残余のシェーマ画像群を特定することができる。そして、表示制御装置１００によれば、残余のシェーマ画像群に含まれるシェーマ画像の表示順序を、共通のシェーマ画像群の表示順序の後ろの表示順序であって、選択回数の多い順に表示する表示順序に決定することができる。これにより、表示制御装置１００は、患者の病名に対応するシェーマ画像群と、オーダ内容に対応するシェーマ画像群と、を表示することができる。
【０１３３】
このため、表示制御装置１００の利用者は、診察する患者の病名またはオーダ内容に対応しつつ選択回数が多いシェーマ画像から優先して、診察する患者の診察記録として選択して使用するシェーマ画像にするか否かを検討することができる。結果として、表示制御装置１００の利用者は、シェーマ画像の選択にかかる時間を短縮することができる。さらに、表示制御装置１００の利用者は、患者の診察においてシェーマ画像の選択にかかる時間を短縮して、患者の診察にかかる時間を短縮することができ、医療サービスの質の向上を図ることができる。
【０１３４】
また、表示制御装置１００によれば、病名に対応するシェーマ画像群と、オーダ内容に対応するシェーマ画像群と、診療科に対応するシェーマ画像群と、に含まれる共通のシェーマ画像群を特定することができる。そして、表示制御装置１００によれば、共通のシェーマ画像群に含まれるシェーマ画像の表示順序を選択回数の多い順に表示する表示順序に決定することができる。これにより、表示制御装置１００は、患者の病名とオーダ内容と診療科とに対応するシェーマ画像を優先して表示することができる。
【０１３５】
このため、表示制御装置１００の利用者は、診察する患者の病名とオーダ内容と診療科とに対応しつつ選択回数が多いシェーマ画像から優先して、診察する患者の診察記録として選択して使用するシェーマ画像にするか否かを検討することができる。結果として、表示制御装置１００の利用者は、シェーマ画像の選択にかかる時間を短縮することができる。さらに、表示制御装置１００の利用者は、患者の診察においてシェーマ画像の選択にかかる時間を短縮して、患者の診察にかかる時間を短縮することができ、医療サービスの質の向上を図ることができる。
【０１３６】
また、これにより、表示制御装置１００は、表示制御装置１００の利用者になる診察医などが普段使用していないシェーマ画像であっても、診察する患者の病名とオーダ内容と診療科に対応しつつ選択回数が多いシェーマ画像であれば優先して表示することができる。このため、表示制御装置１００の利用者は、普段使用していないシェーマ画像であっても診察する患者の診察記録として選択して使用するシェーマ画像にするか否かを検討することができる。
【０１３７】
また、表示制御装置１００によれば、病名に対応するシェーマ画像群と、オーダ内容に対応するシェーマ画像群と、診療科に対応するシェーマ画像群と、から共通のシェーマ画像群を除いた残余のシェーマ画像群を特定することができる。そして、表示制御装置１００によれば、残余のシェーマ画像群に含まれるシェーマ画像の表示順序を、共通のシェーマ画像群の表示順序の後ろの表示順序であって、選択回数の多い順に表示する表示順序に決定することができる。これにより、表示制御装置１００は、患者の病名に対応するシェーマ画像群と、オーダ内容に対応するシェーマ画像群と、診療科に対応するシェーマ画像群と、を表示することができる。
【０１３８】
このため、表示制御装置１００の利用者は、診察する患者の病名、オーダ内容または診療科に対応しつつ選択回数が多いシェーマ画像から優先して、診察する患者の診察記録として選択して使用するシェーマ画像にするか否かを検討することができる。結果として、表示制御装置１００の利用者は、シェーマ画像の選択にかかる時間を短縮することができる。さらに、表示制御装置１００の利用者は、患者の診察においてシェーマ画像の選択にかかる時間を短縮して、患者の診察にかかる時間を短縮することができ、医療サービスの質の向上を図ることができる。
【０１３９】
また、表示制御装置１００によれば、病名に対応するシェーマ画像群と、オーダ内容に対応するシェーマ画像群と、診察医の識別情報に対応するシェーマ画像群と、に含まれる共通のシェーマ画像群を特定することができる。そして、表示制御装置１００によれば、共通のシェーマ画像群に含まれるシェーマ画像の表示順序を選択回数の多い順に表示する表示順序に決定することができる。これにより、表示制御装置１００は、患者の病名とオーダ内容と、利用者になる診察医の識別情報とに対応するシェーマ画像を優先して表示することができる。
【０１４０】
このため、表示制御装置１００の利用者は、診察する患者の病名とオーダ内容と、診察医の識別情報とに対応しつつ選択回数が多いシェーマ画像から優先して、診察する患者の診察記録として選択して使用するシェーマ画像にするか否かを検討することができる。結果として、表示制御装置１００の利用者は、シェーマ画像の選択にかかる時間を短縮することができる。さらに、表示制御装置１００の利用者は、患者の診察においてシェーマ画像の選択にかかる時間を短縮して、患者の診察にかかる時間を短縮することができ、医療サービスの質の向上を図ることができる。
【０１４１】
また、表示制御装置１００によれば、病名に対応するシェーマ画像群と、オーダ内容に対応するシェーマ画像群と、診察医の識別情報に対応するシェーマ画像群と、から共通のシェーマ画像群を除いた残余のシェーマ画像群を特定することができる。そして、表示制御装置１００によれば、残余のシェーマ画像群に含まれるシェーマ画像の表示順序を、共通のシェーマ画像群の表示順序の後ろの表示順序であって、選択回数の多い順に表示する表示順序に決定することができる。これにより、表示制御装置１００は、患者の病名に対応するシェーマ画像群と、オーダ内容に対応するシェーマ画像群と、診察医の識別情報に対応するシェーマ画像群と、を表示することができる。
【０１４２】
このため、表示制御装置１００の利用者は、診察する患者の病名、オーダ内容または診療科に対応しつつ選択回数が多いシェーマ画像から優先して、診察する患者の診察記録として選択して使用するシェーマ画像にするか否かを検討することができる。結果として、表示制御装置１００の利用者は、シェーマ画像の選択にかかる時間を短縮することができる。さらに、表示制御装置１００の利用者は、患者の診察においてシェーマ画像の選択にかかる時間を短縮して、患者の診察にかかる時間を短縮することができ、医療サービスの質の向上を図ることができる。
【０１４３】
また、表示制御装置１００によれば、決定した表示順序に従ってシェーマ画像を表示することができる。これにより、表示制御装置１００の利用者は、シェーマ画像を確認しながら、診察する患者の診察記録として選択して使用するシェーマ画像にするか否かを検討することができる。
【０１４４】
なお、本実施の形態で説明した表示制御方法は、予め用意されたプログラムをパーソナル・コンピュータやワークステーション等のコンピュータで実行することにより実現することができる。本表示制御プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また本表示制御プログラムは、インターネット等のネットワークを介して配布してもよい。
【０１４５】
上述した実施の形態に関し、さらに以下の付記を開示する。
【０１４６】
（付記１）コンピュータに、
患者情報から患者の病名と前記患者に対する処置内容とを取得し、
病名と、前記病名の患者の診察において選択されて用いられる画像と、を対応付けて記憶する第１の記憶部を参照して、取得した前記病名に対応する第１の画像群を特定し、
処置内容と、前記処置内容の患者の診察において選択されて用いられる画像と、を対応付けて記憶する第２の記憶部を参照して、取得した前記処置内容に対応する第２の画像群を特定し、
特定した前記第１の画像群と、特定した前記第２の画像群と、の両方に含まれる共通の画像群に含まれる画像の表示順序を、患者の診察において選択された選択回数が多い順に表示する表示順序に決定する、
処理を実行させることを特徴とする表示制御プログラム。
【０１４７】
（付記２）前記決定する処理は、
さらに、前記第１の画像群と、前記第２の画像群と、から前記共通の画像群を除いた画像群に含まれる画像の表示順序を、決定した表示順序より後ろの表示順序であって、患者の診察において選択された選択回数が多い順に表示する表示順序に決定することを特徴とする付記１に記載の表示制御プログラム。
【０１４８】
（付記３）前記コンピュータに、
前記患者情報から患者が受診する診療科を取得し、
診療科と、前記診療科を受診する患者の診察において選択されて用いられる画像と、を対応付けて記憶する第３の記憶部を参照して、取得した前記診療科に対応する第３の画像群を特定する処理を実行させ、
前記決定する処理は、
前記第１の画像群と、前記第２の画像群と、前記第３の画像群と、に含まれる共通の画像群に含まれる画像の表示順序を、患者の診察において選択された選択回数が多い順に表示する表示順序に決定することを特徴とする付記１に記載の表示制御プログラム。
【０１４９】
（付記４）前記決定する処理は、
さらに、前記第１の画像群と、前記第２の画像群と、の両方に含まれる共通の画像群から、前記第３の画像群に含まれる画像群を除いた画像群に含まれる画像の表示順序を、決定した表示順序より後ろの表示順序であって、患者の診察において選択された選択回数が多い順に表示する表示順序に決定することを特徴とする付記３に記載の表示制御プログラム。
【０１５０】
（付記５）前記コンピュータに、
利用者情報から患者を診察する診察医の識別情報を取得し、
診察医の識別情報と、前記診察医が診察する患者の診察において選択されて用いられる画像と、を対応付けて記憶する第４の記憶部を参照して、取得した前記識別情報に対応する第４の画像群を特定する処理を実行させ、
前記決定する処理は、
前記第１の画像群と、前記第２の画像群と、前記第４の画像群と、に含まれる共通の画像群に含まれる画像の表示順序を、患者の診察において選択された選択回数が多い順に表示する表示順序に決定することを特徴とする付記１に記載の表示制御プログラム。
【０１５１】
（付記６）前記決定する処理は、
さらに、前記第１の画像群と、前記第２の画像群と、の両方に含まれる共通の画像群から、前記第４の画像群に含まれる画像群を除いた画像群に含まれる画像の表示順序を、決定した表示順序より後ろの表示順序であって、患者の診察において選択された選択回数が多い順に表示する表示順序に決定することを特徴とする付記５に記載の表示制御プログラム。
【０１５２】
（付記７）前記コンピュータに、
決定した前記表示順序に従って画像を表示する処理を実行させることを特徴とする付記１〜６のいずれか一つに記載の表示制御プログラム。
【０１５３】
（付記８）患者情報から患者の病名と前記患者に対する処置内容とを取得する取得部と、
病名と、前記病名の患者の診察において選択されて用いられる画像と、を対応付けて記憶する第１の記憶部を参照して、前記取得部によって取得された前記病名に対応する第１の画像群を特定する第１の特定部と、
処置内容と、前記処置内容の患者の診察において選択されて用いられる画像と、を対応付けて記憶する第２の記憶部を参照して、前記取得部によって取得された前記処置内容に対応する第２の画像群を特定する第２の特定部と、
前記第１の特定部によって特定された前記第１の画像群と、前記第２の特定部によって特定された前記第２の画像群と、の両方に含まれる共通の画像群に含まれる画像の表示順序を、患者の診察において選択された選択回数が多い順に表示する表示順序に決定する決定部と、
を有することを特徴とする表示制御装置。
【０１５４】
（付記９）コンピュータが、
患者情報から患者の病名と前記患者に対する処置内容とを取得し、
病名と、前記病名の患者の診察において選択されて用いられる画像と、を対応付けて記憶する第１の記憶部を参照して、取得した前記病名に対応する第１の画像群を特定し、
処置内容と、前記処置内容の患者の診察において選択されて用いられる画像と、を対応付けて記憶する第２の記憶部を参照して、取得した前記処置内容に対応する第２の画像群を特定し、
特定した前記第１の画像群と、特定した前記第２の画像群と、の両方に含まれる共通の画像群に含まれる画像の表示順序を、患者の診察において選択された選択回数が多い順に表示する表示順序に決定する、
処理を実行することを特徴とする表示制御方法。
【符号の説明】
【０１５５】
１００  表示制御装置
７０１  取得部
７０２  特定部
７０３  決定部
７０４  出力部
【図１】
2014219769.tif 000003
【図２】
2014219769.tif 000004
【図３】
2014219769.tif 000005
【図４】
2014219769.tif 000006
【図５】
2014219769.tif 000007
【図６】
2014219769.tif 000008
【図７】
2014219769.tif 000009
【図８】
2014219769.tif 000010
【図９】
2014219769.tif 000011
【図１０】
2014219769.tif 000012
【図１１】
2014219769.tif 000013
【図１２】
2014219769.tif 000014
【図１３】
2014219769.tif 000015
【図１４】
2014219769.tif 000016
【図１５】
2014219769.tif 000017
【図１６】
2014219769.tif 000018
【図１７】
2014219769.tif 000019